(57)【要約】  本発明は、少なくとも複数の送信アンテナを有するワイヤレス通信ネットワーク内で、ゴールデン符号と呼ばれる技法により空間時間ブロック符号を伝送するための畳み込み符号化方法に関する。本発明によれば、ゴールデン符号の符号化はトレリスコード化変調TCMに連携されていると共に、前記トレリスに必要なパーティショニングは、パーティショニングの各段階毎に、集合Γ∞が、Ｂｋ＝｛Ｘ∈Ａｚおよび｜Ｄｅｔ（Ｘ）｜２＝２ｋ｝のようなＡｚの要素の集合Ｂｋ（ｋ＞１）の少なくとも１つの要素βによって乗ぜられるように行われ、“無限のゴールデン符号”と呼ばれる集合Γ∞はゴールデン符号技法によって定義されるようなリングＡｚの主イデアルである。【選択図】  図３
2008546295.tif 000002
【特許請求の範囲】
【請求項１】
少なくとも複数の送信アンテナを有するワイヤレス通信ネットワーク内で、いわゆるゴールデン符号技法により空間時間ブロック符号を伝送するための畳み込み符号化方法であって、ゴールデン符号の符号化はトレリスコード化変調TCMに連携されており、前記トレリスに必要なパーティショニングは、パーティショニングの各段階毎に、集合Γ∞が、
Ｂｋ＝｛Ｘ∈Ａｚおよび｜Ｄｅｔ（Ｘ）｜２＝２ｋ｝
のようなＡｚの要素の集合Ｂｋ（ｋ＞１）の少なくとも１つの要素βによって乗ぜられるように行われ、
“無限のゴールデン符号”と呼ばれる集合Γ∞はゴールデン符号技法によって定義されるようなリングＡｚの主イデアルであることを特徴とする方法。
【請求項２】
Γ∞の左にβを乗じることを特徴とする請求項１に基づく方法。
【請求項３】
Γ∞の右にβを乗じることを特徴とする請求項１に基づく方法。
【請求項４】
斯く生成したパーティションの各構成要素は畳み込み符号化の２ｋビットによってインデックスされることを特徴とする前記請求項のいづれかに基づく方法。
【請求項５】
請求項１から４のいづれかに基づく方法であって、
【数１】
2008546295.tif 000018
と考えると、βはＢ１の要素であることを特徴とする方法。
【請求項６】
請求項１から４のいづれかに基づく方法であって、
【数２】
2008546295.tif 000019
のような要素β’によって集合Γ∞を乗じることを特徴とする方法。
【請求項７】
前記請求項のいづれかに基づく方法であって、ｋ＝１として、パーティショニングは４段階に行い、畳み込み符号化を行うために８ビットｃ０〜ｃ７を使用し、これらの畳み込み符号化ビットを４つの情報ビットｂ０〜ｂ３から：
ｃ０＝ｃ１＝ｃ２＝０
ｃ３＝ｘｂ０＋ｘ２ｂ１＋ｘ３ｂ２＋ｘ４ｂ３
（ここで、ｃ４、ｃ５、ｃ６、ｃ７は夫々ビットｂ０〜ｂ３のいづれかに等しい）
のように符号化することを特徴とする方法。
【請求項８】
少なくとも複数の送信アンテナを有するワイヤレス通信ネットワーク内で、いわゆるゴールデン符号技法により空間時間ブロック符号を伝送するべく、前記請求項のいづれかに基づく方法を実施するための畳み込み符号化装置であって：この装置は、伝送すべき情報ビットを受信すると共に符号化されたビットの集合を生成する畳み込みコーダーと、ゴールデン符号タイプの空間時間ブロックコーダーを有し、これら２つのコーダーは、ゴールデン符号タイプの空間時間ブロックコーダーが以下の条件に従いながらシーケンスを伝送するように構成されており：トレリスコード化変調TCMによる畳み込み符号化、および、このトレリスに必要なパーティショニングであって、パーティショニングの各段階毎に、集合Γ∞が、
Ｂｋ＝｛Ｘ∈Ａｚおよび｜Ｄｅｔ（Ｘ）｜２＝２ｋ｝、
のようなＡｚの要素の集合Ｂｋ（ｋ＞１）の少なくとも１つの要素βによって乗ぜられるように行われるパーティショニング、
“無限のゴールデン符号”と呼ばれる集合Γ∞はゴールデン符号技法によって定まるようなリングＡｚの主イデアルであることを特徴とする装置。
【発明の詳細な説明】
【技術分野】
【０００１】
本発明は、ゴールデン符号（Golden Code）と呼ばれる技法により空間時間ブロック符号（Space Time Block Code）を伝送するための畳み込み符号化（convolutive coding）方法に関する。本発明は、また、斯る方法を実施する装置に関する。
【０００２】
一般的に、本発明は、特にモバイルを用いた伝送の場合における（より一般的にはローカル的又は非ローカル的なワイヤレスネットワークの場合における）デジタルデータ（又はサンプリングされたアナログデータ）の伝送又は無線放送の分野に適用される。本発明は特に高レートでワイヤレス伝送を行いたい場合に適用することができる。第１のカテゴリの用途は、例えばUMTSのようなモバイルを用いたセルラー通信システムに関する。第２のカテゴリの用途は、ワイヤレスのローカルネットワークに関する。第３のカテゴリの用途は将来のアドホック・ネットワークである。
【０００３】
より詳しくは、本発明は、ゴールデン符号タイプの空間時間ブロック符号を使用するMIMO（Multiple Input Multiple Output）多重アンテナシステムに適用される。
【背景技術】
【０００４】
空間時間ブロック符号Space Time Block Code（STBC）はＭ横列とＴ縦列を有する複雑なマトリックス（符号語）の有限集合Γであり、その各構成要素Γｉｔは瞬間ｔ（１≦ｔ≦Ｔ）にアンテナｉ（１≦ｉ≦Ｍ）に送信される記号である。Ｍ＝Ｔならば、STBCは正方形である。
【０００５】
文献V. Tarokh、N. SeshadriおよびA.R. Calderbank“高データレートのワイヤレス通信のための空間時間符号：性能、基準および符号構成”（IEEE 情報理論会報、44巻、第2号、1998年3月）に特に記載されたSTBCの構成基準は以下の通りである：
−STBCの（送信の）多様性の位数order（ｄと記される）は次のように定まる：
【０００６】
【数３】
2008546295.tif 000003
【０００７】
多様性の位数が最大である場合（即ち、ｄ＝Min（M、T））には、STBCは完全な多様性を有する。
−T≧Mの場合の完全な多様性のSTBCの符号化ゲイン（ｇと記される）は次のように定義される：
【０００８】
【数４】
2008546295.tif 000004
【０００９】
レイリーRayleighのフェーディング・チャンネル（fading channel）における符号語による平均的エラー確率は、強い信号対ノイズ比における１／（ｇＳＮ比）ｄＮに比例することが証明されている。従って、この種のチャンネルにおけるSTBC性能を最大限にするためには、符号化ゲインを最大にする必要がある。
【００１０】
前述したように、本発明は、特に、ゴールデン符号タイプの空間時間ブロック符号に関する。
【００１１】
文献J.C. Belfiore、G. RekayaおよびE. Viterbo“ゴールデン符号：非消失行列式を有する2×2フルレート空間時間符号”（IEEE情報理論会報、44巻、第2号、2005年4月）に記載されたようなゴールデン符号は、２つの送信アンテナを有する（M＝２かつT＝２）正方形のSTBCである。この符号は完全な多様性を有する（ｄ＝２）。それは今日最良の符号化ゲインを呈する。そのパーティショニング（群分離）を実現するのを可能にするのは、ゴールデン符号の代数学的構成である。
【００１２】
ゴールデン符号を定義するためには、体Ｑ［ｉ、θ］に対して次のように構成された分割周期的代数（非可換体non-commutative body）ＡＱを導入する必要がある：
【００１３】
【数５】
2008546295.tif 000005
【００１４】
ａ、ｂ、ｃ、ｄをガウスの整数Ｚ［ｉ］のリング内に限定することによりこの代数に対してリング（ＡＺと記される）が定義される：
【００１５】
【数６】
2008546295.tif 000006
【００１６】
無限のゴールデン符号（Γ∞と記される）は、このリングの要素（又は元。element）αによって生成されるリングＡＺの主イデアルである。留意すべきことに、マトリックス表示の代わりにベクトル表示を選択する場合には、ＡＺひいてはゴールデン符号は真の８次元ラティスである。要素αはイデアルが、▲√５▼Ｚ８に対応するラティスを形成するように選ばれている。ゴールデン符号が１／▲√５▼による正常化を含むのはこの故である。従って、次式が得られる：
【００１７】
【数７】
2008546295.tif 000007
【００１８】
無限のゴールデン符号の符号化ゲインは１／▲√５▼であることが証明されている。有限符号を使用する場合には、ａ、ｂ、ｃ、ｄをＺ［ｉ］（例えばQAM立体配座constellation）に含まれる有限下位集合に属させれば充分である。無限のゴールデン符号がＺ８に対応することは、符号語間に良好なユークリッド距離を保障しながらも二進ラベリングと“シェーピング”（立体配座を抽出する行為）を大いに容易化する。
【発明の開示】
【００１９】
本発明は、ゴールデン符号タイプの空間時間ブロック符号の符号化ゲインを改良する新規な方法を提供することを目的とするものである。
【００２０】
本発明の他の目的は、フェーディング・チャンネル（fading channel）の場合に特に有効な情報符号化装置を提供することにある。
【００２１】
上記目的の少なくとも１つは、少なくとも複数の送信アンテナを有するワイヤレス通信ネットワーク内で、ゴールデン符号と呼ばれる技法により空間時間ブロック符号を伝送するための、畳み込み符号化（convolutive coding）方法により達成される。本発明によれば、ゴールデン符号の符号化はトレリスコード化変調TCM（Trellis Coded Modulation）に関連づけられている。更に、このトレリスに必要なパーティショニング（群分離）は、パーティションの各段階毎に、集合Γ∞が、
Ｂｋ＝｛Ｘ∈Ａｚおよび｜Ｄｅｔ（Ｘ）｜２＝２ｋ｝、
のようなＡｚの要素（element。元）の集合Ｂｋ（ｋ＞１）の少なくとも１つの要素βによって乗ぜられるように実行され、
“無限のゴールデン符号”と呼ばれる集合Γ∞は、ゴールデン符号技法によって定義されるようなリングＡｚの主イデアルである。
【００２２】
本発明は、従って、ゴールデン符号を用いたコード化変調技法を有利に使用すると共に、符号化ゲインを得るためにゴールデン符号のパーティショニング技法を使用する。
【００２３】
一般に、１シーケンスのSTBC符号語の符号化ゲインは次のように定義することができる。
【００２４】
次々に送信されるSTBC符号Γ（M＝２、かつＴ＞１）のｎ語の１シーケンス（Ｘｋ）１≦ｋ≦ｎを考える。このシーケンスはｎマトリックスＸｋの連鎖によって構成されるSTBC符号（M＝２かつｎＴ）の単一の符号語と考えることが常に可能である。この場合、長さｎのシーケンスについて符号化ゲイン（ｇｎと記される）を計算することができる：
【００２５】
【数８】
2008546295.tif 000008
【００２６】
Ｚｋ＝Ｘｋ−Ｙｋと仮定し、かつ、最初のｎ０のＺｋが全てゼロではなくかつ他の全てがゼロになるようにＺｋに対するインデクシングを修正すると、次が得られる：
【００２７】
【数９】
2008546295.tif 000009
【００２８】
STBCΓが（ゴールデン符号の場合のように）最大の多様性かつ最も正方形のものであると仮定すれば、Ｚｋがゼロでなければ、Ｚｋは倒置可能であり、▲〜Ｚｋ▼＝Det（Ｚｋ）▲Ｚ−１ｋ▼と定義することができる。そうすれば、次の関係を容易に証明することができる：
【００２９】
【数１０】
2008546295.tif 000010
ここで、||Ｘ||２はマトリックスＸのフロベニウス・ノルム（又はノルム２）を意味する。
【００３０】
もし検討中のSTBC符号が（無限のゴールデン符号のように）付加的グループ構造を有するならば、次のように符号化ゲインを書き改めることができる：
【００３１】
【数１１】
2008546295.tif 000011
【００３２】
コード化変調の思想は、符号化ゲインを増大させるように、１シーケンスの際に送信された異なるSTBC符号語の間の時間的リンクを生成することであり、これはｎ０＞２の場合に対応する。この場合には、ゲインを大幅に増大させることの可能な交差項||▲〜Ｚ▼ｋＺｊ||▲２２▼が特に関心がもたれる。ｎ０＝２の場合には、ゼロでない唯一の符号語しか有しない符号語シーケンス（Ｚｋと言う）は、符号化ゲイン全体を損なうことがないようにDet（Ｚｋ）▲ＺＨｋ▼が充分高いようなものであることが保障される。
【００３３】
このため、トレリスコード化変調TCM（Trellis Coded Modulation）技法を有利に使用する。丁度AWGNと呼ばれるガウスチャンネルの場合のように、送信された立体配座のパーティショニングに基づく二進ラベリングを利用する必要がある。
【００３４】
TCMにおいては、パーティショニングは、パーティションの各段階毎に、商集合Ｅ１／Ｅ１＋１がカーディナル（位数orderのこと）（これは二進ラベリングを可能にするために２の羃（べき）である）を有するように、付加的出発グループＥ０から、減少する一連のサブグループ（Ｅ１）を見出すことからなる。
【００３５】
TCMの意味において良好なパーティショニングは、全ての下位集合の中に距離基準を次々に増加させるのを許容しなければならない。ガウスチャンネル上のTCMの場合には、最小平方のユークリッド距離基準が問題となるのに対して、STBCについては符号化ゲインが問題となる：
【００３６】
【数１２】
2008546295.tif 000012
【００３７】
例として、やはり従来技術のTCMの枠内において、図１はガウスチャンネル（AWGN）の場合におけるＺ［ｉ］のパーティショニング・チェーン（QAM立体配座に対応）を示す。
【００３８】
このパーティショニング・チェーンは、ビットｃ０、ｃ１、・・・を用いてQAM立体配座の点をラベリングするために必要なだけ長時間続けることができる。パーティショニングの各レベル毎に、各下位集合の中のユークリッド距離の平方は先行するレベルのユークリッド距離の２倍であることを重視するべきである。更に、二進ラベリングは各集合がｎ（ｎは２の羃（べき））の下位集合（位数）に細分割されることにより可能となったことに留意されたい。
【００３９】
本発明は特にゴールデン符号のイデアル集合に適用されるもので、これらの集合は以下のように定義される。
【００４０】
βがゼロでないＡｚの要素であり、かつ｜Det（β）｜２＞１であれば、βによって生成されたΓ∞の左主イデアル（β.Γ∞と記す）およびβによって生成されたΓ∞の右主イデアル（Γ∞.βと記す）は次のように定義される：
βΓ∞＝｛βＸ｜Ｘ∈Γ∞｝
Γ∞β＝｛Ｘβ｜Ｘ∈Γ∞｝
左イデアルおよび右イデアルは代数学の非可換性（non-commutativity）故に異別であることができる。
これら２つの主イデアルが、Γ∞の付加的サブグループ（又はサブラティス）であることを証明することは容易であり、それらは以下の２つの特性を有する：
−各イデアルの符号化ゲインは次に等しい：
【００４１】
【数１３】
2008546295.tif 000013
【００４２】
−これらのイデアルはΓ∞に関して｜Det(β) ｜４の位数である。即ち：
Card（Γ∞／βΓ∞）＝Card（Γ∞／Γ∞β）＝｜Det(β)｜４
【００４３】
有利なことに、本発明においては、コード化変調に適合したゴールデン符号のパーティショニングを行う。
【００４４】
前述したように、TCMを使用するには、パーティションの各段階毎に集合が２の羃（べき）の下位集合に細分割されるようなパーティショニングを創成する必要がある。
【００４５】
βはＡｚの要素であるので、βの行列式はＺ［ｉ］内にある。これから、βによって生成された主イデアルがΓ∞に関して位数２（又は２の奇数羃の位数）であるようなβは全く存在しないことが帰結される。
【００４６】
本発明は位数が４の羃であるようなβが定義される点で特に優れている。そこで、行列式が平方モジュール２ｋについて：
Ｂｋ＝｛Ｘ∈Ａｚおよび｜Ｄｅｔ（Ｘ）｜２＝２ｋ｝
を有するようにＡｚの要素の集合Ｂｋ（ｋ＞１）を有利に導入する。
どのＢｋも空でない。何故ならば、
【００４７】
【数１４】
2008546295.tif 000014
【００４８】
はＢｋに属するからである。更に、全てのＢｋは無限であることに留意すべきである。
【００４９】
βｋがＢｋの任意の要素であるならば、イデアルβｋΓ∞（又はイデアルΓ∞βｋ）は、Γ∞の位数４ｋでかつ符号化ゲイン▲√２ｋ／５▼のサブラティスを構成する。従って、集合Γ∞／βｋΓ∞の夫々の要素は２ｋビットによってインデックスすることができる。この方法によれば、パーティショニングの第１段階が行われるのであり、これを必要なだけのパーティショニングを得るべく反復すれば足りる。
【００５０】
本発明によれば、βは左又は右からΓ∞に乗じることができる。
【００５１】
本発明の好ましい特徴によれば、次のように考える：
【００５２】
【数１５】
2008546295.tif 000015
【００５３】
本発明の他の特徴によれば、集合Γ∞を次のような要素β’によって乗じることもできる：
【００５４】
【数１６】
2008546295.tif 000016
【００５５】
本発明の有利な実施態様によれば、ｋ＝１として、パーティショニングは４段階に行い、畳み込み符号化を行うために８ビットｃ０〜ｃ７を使用し、これらの畳み込み符号化ビットを４つの情報ビットｂ０〜ｂ３から次のように符号化する：
ｃ０＝ｃ１＝ｃ２＝０
ｃ３＝ｘｂ０＋ｘ２ｂ１＋ｘ３ｂ２＋ｘ４ｂ３
ｃ４、ｃ５、ｃ６、ｃ７は夫々ビットｂ０〜ｂ３のいづれかに等しい。
【００５６】
本発明の他の観点によれば、少なくとも複数の送信アンテナを有するワイヤレス通信ネットワーク内で、ゴールデン符号と呼ばれる技法により空間時間ブロック符号を伝送するための、畳み込み符号化装置が提供される。本発明によれば、この装置は、送信すべき情報ビットを受信すると共に符号化されたビットの集合を生成する畳み込みコーダーと、ゴールデン符号タイプの空間時間ブロックコーダーを有し、これら２つのコーダーは、ゴールデン符号タイプの空間時間ブロックコーダーが次の条件に従いながらシーケンスを伝送するように構成されている：トレリスコード化変調TCMによる畳み込み符号化、および、このトレリスに必要なパーティショニングであって、パーティショニングの各段階毎に、集合Γ∞が、
Ｂｋ＝｛Ｘ∈Ａｚおよび｜Ｄｅｔ（Ｘ）｜２＝２ｋ｝、
のようなＡｚの要素の集合Ｂｋ（ｋ＞１）の少なくとも１つの要素βによって乗ぜられるように行われるパーティショニング、
ここで、“無限のゴールデン符号”と呼ばれる集合Γ∞は、ゴールデン符号技法によって定義されるようなリングＡｚの主イデアルである。
【００５７】
本発明の他の特徴や利点は非限定的な実施例の詳細な説明および添付図面から明らかとなろう。
【発明を実施するための最良の形態】
【００５８】
次に、２つの送信アンテナを有する空間時間ブロック符号を用いて符号化された変調技術を使用することにより符号化ゲインを得るための本発明の方法の実施例を説明する。
【００５９】
図２には、本発明のパーティショニングを示す。Ｂ１の任意の２つの要素（元）β１およびβ１’を考えると、パーティショニングをパーティションの２段階で１６のΓ∞に形成することができる。Ｂ１＝｛Ｘ∈Ａｚおよび｜Ｄｅｔ（Ｘ）｜２＝２｝
【００６０】
集合Γ∞／β１Γ∞（およびΓ∞／β１’Γ∞）の４要素を０、Ｙ１、Ｙ２、Ｙ３（および０、Ｙ１’、Ｙ２’、Ｙ３’）（これらはビット二重項（ｃ０、ｃ１）（および（ｃ２、ｃ３））によってインデックスされるであろう）と記すと、パーティショニングは図２に示したように表すことができる。Γ∞から始める。第１のパーティションはΓ∞の左にβ１を乗じることにより４要素を生成するのを可能にする。こうしてβ１Γ∞、β１Γ∞＋Ｙ２、β１Γ∞＋Ｙ１、β１Γ∞＋Ｙ３が得られる。これら４つの要素は２つの畳み込み符号化ビットｃ０およびｃ１を用いて符号化される。
【００６１】
第２のパーティションはΓ∞の左にβ１’を導入し、かつ、以下の１６の要素を生成することからなる：［β１β１’Γ∞、β１β１’Γ∞＋β１Ｙ２’、β１β１’Γ∞＋β１Ｙ１’、β１β１’Γ∞＋β１Ｙ３’］；［β１β１’Γ∞＋Ｙ２、β１β１’Γ∞＋β１Ｙ２’＋Ｙ２、β１β１’Γ∞＋β１Ｙ１’＋Ｙ２、β１β１’Γ∞＋β１Ｙ３’＋Ｙ２］；［β１β１’Γ∞＋Ｙ１、β１β１’Γ∞＋β１Ｙ２’＋Ｙ１、β１β１’Γ∞＋β１Ｙ１’＋Ｙ１、β１β１’Γ∞＋β１Ｙ３’＋Ｙ１］；［β１β１’Γ∞＋Ｙ３、β１β１’Γ∞＋β１Ｙ２’＋Ｙ３、β１β１’Γ∞＋β１Ｙ１’＋Ｙ３、β１β１’Γ∞＋β１Ｙ３’＋Ｙ３］。これら１６の要素は、ビットｃ０およびｃ１と組み合わせて２つの畳み込み符号化ビットｃ２およびｃ３を用いて符号化される。
【００６２】
このパーティショニングは図３に示したようによりコンパクトに示すことができる。符号化ゲインは各パーティションの右に示してある。ゴールデン符号の原理により、ゲインはΓ∞については１／▲√５▼である。第１パーティションは符号化ゲインが▲√２▼／▲√５▼であることを示している。第３パーティションは２／▲√５▼の符号化ゲインを示す。従って、ゲインは限られた複雑さで２倍されている。
【００６３】
従って、Ｂ１内で母線を使用することにより、符号化ゲインを２パーティション・ビット毎に因数▲√２▼（１.５dB）で乗じることが保障される。
【００６４】
用いるＢ１の要素の選択およびイデアルの左配置又は右配置の選択は、パーティショニングの全長にわたり符号化ゲインに影響しない。反対に、ｎ０＞１の場合でユークリッド距離の基準（ガウスチャンネル上で符号を使用する場合）では、これらの選択は交差項においてゲインに影響を与える。次に、ゴールデン符号に適用するトレリスコード化変調の構成の完全な例を説明する。
【００６５】
【数１７】
2008546295.tif 000017
【００６６】
上のように選べば、図４に示したようなゴールデン符号の４段階のパーティショニングが構成される。
【００６７】
もし、ゼロでない全てのシーケンス（Ｚｋ）が次の条件を証明するならば：
−ｎ０＝１、その場合、送信されたゼロでない唯一の符号語は２．Γ∞に属する。
−ｎ０＞１、その場合、Ｚ１と記された符号語の少なくとも１つはβ．Γ∞に属し、Ｚ２と記された他の符号語はβ．Γ∞．β’に属する。
【００６８】
これは符号化ゲインはゴールデン符号に関して４（６dB）であることを示している。
【００６９】
前述した条件を証明するシーケンスを構成するため、トレリスによって記述した畳み込み符号化を用いて、符号化ビットｃ０、ｃ１、・・・ｃ７を使用する（他のビット（その数は選ばれたQAM立体配座に依存している）は符号化されない）。これらの条件を証明するシーケンスを構成するのを可能にするトレリスは多数存在する。特に、トレリス状態あたりの遷移数（これは符号の効率を決める）はトレリスの複雑さにかなり影響する。
【００７０】
ここでは、１６状態および状態あたり１６遷移を有する、全く複雑でないトレリスを導入する解決方法を記載した。これは１／２の効率を生じる。各状態については、０〜255の整数の形で示したビットｃ０、ｃ１、・・・ｃ７（ｃ０は最小有効ビットである）のシーケンスに対応する遷移は、上から下へと列挙してある。
【００７１】
実際には、ビットｃ０、ｃ１、ｃ２は０に固定される。４ビットの情報をｂ０、・・・、ｂ２と記せば、畳み込みコーダーの体系的バージョンは次の形で与えることができる：
ｃ０＝ｃ１＝ｃ２＝０
ｃ３＝ｘｂ０＋ｘ２ｂ１＋ｘ３ｂ２＋ｘ４ｂ３
ｃ４＝ｂ０
ｃ５＝ｂ１
ｃ６＝ｂ２
ｃ７＝ｂ３
【００７２】
４つの冗長ビットが畳み込み符号化によって導入されるので、図６に基づいて等スペクトル効率で比較した場合には、性能ゲインは符号化されないゴールデン符号と変調によって符号化されたゴールデン符号との間で３dBである。
【００７３】
次に、図７を参照しながら本発明のエミッタの実施例を説明する。64QAM記号を有するゴールデン符号を考える。１つのSTBC符号語は４つの64QAM記号で構成されるので、２４ビットにわたってラベリングされる：ｃ０、ｃ１、・・・、ｃ２３。ビットｃ０、・・・、ｃ７は４ビットの情報ｂ０、・・・、ｂ３から本発明の畳み込み符号によって符号化されたビットである。ビットｃ８、・・・、ｃ２３自体は直接に情報ビットである。セリアル・パラレル・コンバータ１は、本発明に従い情報ビットｂ０、・・・、ｂ３を畳み込みコーダー２に向けて送ると共に、情報ビットｂ４、・・・、ｂ１９を直接にSTBCゴールデン符号コーダー３に向けて送る。
【００７４】
STBCコーダー３は、２つの変調器４および５に、符号のパーティショニングによって定められた二進ラベリングを遵守しながらビットｃ０、ｃ１、・・・、ｃ２３に基づいてゴールデン符号64QAM符号語を出力する。留意すべきことに、ｃ８からは１６QAMにわたる従来のラベリングを使用することができるので、パーティショニングは必ずしもｃ２３まで延長する必要はない。
【００７５】
勿論、本発明は前述した実施例に限定されるものではなく、本発明の範囲を逸脱することなく上記実施例に種々の修正を加えることができる。
【図面の簡単な説明】
【００７６】
【図１】図１は従来技術のパーティショニングを示す。
【図２】図２は本発明に基づく２段階式パーティショニングを示す。
【図３】図３は図２のパーティショニングをコンパクトに示したものである。
【図４】図４は本発明に基づく４段階式パーティショニングの実施例をコンパクトに示したものである。
【図５】図５は本発明の方法を実施するためのトレリスの例を示す。
【図６】図６は符号化されていないゴールデン符号と変調によって符号化されたゴールデン符号とを比較したグラフである。
【図７】図７は本発明のエミッタ装置の模式図である。
【図１】
2008546295.tif 000020
【図２】
2008546295.tif 000021
【図３】
2008546295.tif 000022
2008546295.tif 000023
2008546295.tif 000024
2008546295.tif 000025
【国際調査報告】
2008546295.tif 000026
2008546295.tif 000027
2008546295.tif 000028
2008546295.tif 000029